(57)【特許請求の範囲】
【請求項１】
ユーザが指定する色である指定色の情報である指定色情報が記憶されるものであって、当該ユーザが所有している筆記具の色である所有色の情報が記憶される所有色情報記憶手段を備えた指定色情報記憶手段と、
塗り絵の手本画像の元となる手本元画像が記憶される手本元画像記憶手段と、
前記塗り絵の前記手本画像を生成するものであって、前記手本元画像に使用されている色を前記指定色の中で近似する色に変換する色変換手段を備えた手本画像生成手段と、
塗り絵用画像を生成するものであって、前記手本画像から輪郭を抽出して線画像を生成する線画像生成手段を備えた塗り絵用画像生成手段と、
前記手本画像および前記塗り絵用画像が表示される表示手段および当該表示手段を制御する表示制御手段と、
前記塗り絵用画像および前記手本画像を印刷する印刷手段と、
を備え、
前記指定色情報記憶手段には、前記指定色情報がＬａｂ色空間の色情報として記憶され、
前記塗り絵用画像生成手段は、ＲＧＢ色空間から前記Ｌａｂ色空間へ、および、前記Ｌａｂ色空間から当該ＲＧＢ色空間へと表色系を変換する表色系変換手段を有し、
前記表色系変換手段が前記手本元画像の前記ＲＧＢ色空間を画素毎に前記Ｌａｂ色空間へと変換し、
前記色変換手段が前記指定色の色と前記手本元画像の色との色差を算出し、当該色差が少ない前記指定色内の色に前記手本元画像の色を変換し、
前記表色系変換手段が色変換後の画像を前記Ｌａｂ色空間から前記ＲＧＢ色空間へと変換する、
ことを特徴とする画像印刷装置。
【請求項２】
前記指定色情報記憶手段は、前記ユーザが所有していない色であって前記ユーザが使用を希望する色である希望色の情報が記憶される希望色情報記憶手段も備えていることを特徴とする請求項１に記載の画像印刷装置。
【請求項３】
前記塗り絵用画像生成手段は、前記手本画像が前記所有色および前記希望色の両方の色を使用して生成されているとき、前記線画像生成手段が生成した前記線画像の中で前記希望色が付される領域に、対応する前記希望色を着色した前記塗り絵用画像を生成する希望色着色手段を備えていることを特徴とする請求項２に記載の画像印刷装置。
【請求項４】
原画像を絵画調に変換して絵画調画像を生成する絵画調変換手段をさらに備え、
前記手本元画像が前記原画像又は前記絵画調画像から構成されることを特徴とする請求項１乃至請求項３のいずれか１項に記載の画像印刷装置。
【請求項５】
前記表示手段は、前記手本画像を前記塗り絵の順序を表示するように順次表示し、前記印刷手段は、前記手本画像を前記塗り絵の当該順序を表示するように順次印刷することを特徴とする請求項１乃至請求項４のいずれか１項に記載の画像印刷装置。
【請求項６】
ユーザが指定する色である指定色の情報である指定色情報を記憶する処理であって、当該ユーザが所有している筆記具の色である所有色の情報を記憶する所有色情報記憶処理を含む指定色情報記憶処理と、
塗り絵の手本画像の元となる手本元画像を読み込む手本元画像読込処理と、
前記塗り絵の前記手本画像を生成する処理であって、前記手本元画像に使用されている色を前記所有色の中で近似する色に変換する色変換処理を備えた手本画像生成処理と、
塗り絵用画像を生成する処理であって、少なくとも前記手本画像から輪郭を抽出して線画像を生成する線画像生成処理を備えた塗り絵用画像生成処理と、
前記手本画像および前記塗り絵用画像を表示手段に表示させる表示制御処理と、
前記塗り絵用画像および前記手本画像を印刷する印刷処理と、
を実行し、
前記指定色情報記憶処理では、前記指定色情報がＬａｂ色空間の色情報として記憶され、
前記塗り絵用画像生成処理では、
前記手本元画像のＲＧＢ色空間を画素毎に前記Ｌａｂ色空間へと変換する表色系変換処理と、
前記表色系変換処理で前記Ｌａｂ色空間に変換された前記手本元画像と前記指定色情報との色差を算出し、当該色差が少ない前記指定色内の色に前記手本元画像の色を変換する前記色変換処理と、
前記色変換処理で色変換した後の画像を前記Ｌａｂ色空間から前記ＲＧＢ色空間へと変換する表色系再変換処理と、
が実行される、
ことを特徴とする塗り絵用画像生成方法。
【請求項７】
前記指定色情報記憶処理では、前記所有色情報記憶処理の後に、前記ユーザが所有していない色であって前記ユーザが使用を希望する色である希望色の情報を記憶する希望色情報記憶処理も実行されることを特徴とする請求項６に記載の塗り絵用画像生成方法。
【請求項８】
前記塗り絵用画像生成処理では、前記手本画像が前記所有色および前記希望色の両方の色を使用して生成されているとき、前記線画像生成処理の後に、前記線画像生成処理で生成した前記線画像の中で前記希望色が付される領域に、対応する前記希望色を着色して前記塗り絵用画像を生成する希望色着色処理を実行することを特徴とする請求項７に記載の塗り絵用画像生成方法。
【請求項９】
前記指定色情報記憶処理の後に原画像を絵画調に変換して絵画調画像を生成する絵画調変換処理と、
前記絵画調変換処理で変換された画像が前記手本元画像として記憶される手本元画像記憶処理と、が実行されることを特徴とする請求項６乃至請求項８のいずれか１項に記載の塗り絵用画像生成方法。
【請求項１０】
前記表示制御処理では、前記手本画像を前記塗り絵の順序を表示するように順次表示し、前記印刷処理では、前記手本画像を前記塗り絵の当該順序を表示するように順次印刷することを特徴とする請求項６乃至請求項９のいずれか１項に記載の塗り絵用画像生成方法。
【請求項１１】
ユーザが指定する色である指定色の情報である指定色情報を記憶する処理であって、当該ユーザが所有している筆記具の色である所有色の情報を記憶する所有色情報記憶処理を含む指定色情報記憶処理と、
塗り絵の手本画像の元となる手本元画像を読み込む手本元画像読込処理と、
前記塗り絵の前記手本画像を生成する処理であって、前記手本元画像に使用されている色を前記所有色の中で近似する色に変換する色変換処理を備えた手本画像生成処理と、
塗り絵用画像を生成する処理であって、少なくとも前記手本画像から輪郭を抽出して線画像を生成する線画像生成処理を備えた塗り絵用画像生成処理と、
前記手本画像および前記塗り絵用画像を表示手段に表示させる表示制御処理と、
前記塗り絵用画像および前記手本画像を印刷する印刷処理と、
をコンピュータに実行させ、
前記指定色情報記憶処理では、前記指定色情報がＬａｂ色空間の色情報として記憶され、
前記塗り絵用画像生成処理では、
前記手本元画像のＲＧＢ色空間を画素毎に前記Ｌａｂ色空間へと変換する表色系変換処理と、
前記表色系変換処理で前記Ｌａｂ色空間に変換された前記手本元画像と前記指定色情報との色差を算出し、当該色差が少ない前記指定色内の色に前記手本元画像の色を変換する前記色変換処理と、
前記色変換処理で色変換した後の画像を前記Ｌａｂ色空間から前記ＲＧＢ色空間へと変換する表色系再変換処理と、
を前記コンピュータに実行させる、
ことを特徴とするコンピュータ読み取り可能な塗り絵用画像生成プログラム。
【請求項１２】
前記指定色情報記憶処理では、前記所有色情報記憶処理の後に、前記ユーザが所有していない色であって前記ユーザが使用を希望する色である希望色の情報を記憶する希望色情報記憶処理も前記コンピュータに実行させることを特徴とする請求項１１に記載のコンピュータ読み取り可能な塗り絵用画像生成プログラム。
【請求項１３】
前記塗り絵用画像生成処理では、前記手本画像が前記指定色として前記所有色および前記希望色の両方の色を使用して生成されているとき、前記線画像生成処理の後に、前記線画像生成処理で生成した前記線画像の中で前記希望色が付される領域に、対応する前記希望色を着色して前記塗り絵用画像を生成する希望色着色処理を前記コンピュータに実行させることを特徴とする請求項１２に記載のコンピュータ読み取り可能な塗り絵用画像生成プログラム。
【請求項１４】
前記塗り絵用画像生成処理では、前記指定色情報記憶処理の後に原画像を絵画調に変換して絵画調画像を生成する絵画調変換処理と、
前記絵画調変換処理で変換された画像が前記手本元画像として記憶される手本元画像記憶処理と、
を前記コンピュータに実行させることを特徴とする請求項１１乃至請求項１３のいずれか１項に記載のコンピュータ読み取り可能な塗り絵用画像生成プログラム。
【請求項１５】
前記表示制御処理では、前記手本画像を前記塗り絵の順序を表示するように順次表示し、前記印刷処理では、前記手本画像を前記塗り絵の当該順序を表示するように順次印刷する、ことを前記コンピュータに実行させることを特徴とする請求項１１乃至請求項１４のいずれか１項に記載のコンピュータ読み取り可能な塗り絵用画像生成プログラム。
【発明の詳細な説明】
【技術分野】
【０００１】
本発明は、塗り絵用画像を生成し印刷する機能を備えた画像印刷装置と、この画像印刷装置で塗り絵用画像を生成する塗り絵用画像生成方法と、この塗り絵用画像生成方法をコンピュータに実行させるための塗り絵用画像生成プログラムと、に関する。
【背景技術】
【０００２】
カメラで撮影した写真画像やスキャナで取り込んだスキャン画像などの輪郭を抽出する画像処理を行うことによって塗り絵用の線画像を生成する技術が提案されている。例えば、特開２００９−２１７６０６号公報（特許文献１）では、人物の目鼻立ち部分の画像を学習させた自己組織化特徴地図を用いて写真画像における人物とそれ以外の領域とを区分けし、入力画像をグレースケールに変換し、目鼻立ち部分の輪郭抽出にはラプラシアンフィルターなど輪郭抽出フィルターを用いてエッジの強度を検出し、それ以外の領域の輪郭抽出にはｐｒｅｗｉｔｔテンプレートマッチングを用い、それぞれのフィルター出力を調整して画像を整える提案がなされている。
【０００３】
また、特開２０１０−７４２１７号公報（特許文献２）では、原画像の一部を抽出して、抽出した画像をグレースケール化した後、明るさとコントラストとを調整し、また、各画像の最大輝度と最小輝度とを求めて、最大輝度の画素の輝度を大きく最小輝度に近いほど輝度を小さく補正して明暗差を大きくすることにより塗り絵用画像データとし、原画像の一部のみを塗り絵用画像に変換することについて提案がなされている。
【０００４】
このような写真画像やスキャン画像などの原画像から塗り絵用の線画像を作成し、ユーザが所有している筆記具の色である所有色を用いて塗り絵を完成させた場合、写真画像やスキャン画像をそのまま印刷した場合と比較して、絵にユーザの個性を加えて独創性を強調することが可能となり、創作感を向上させることができる。
【先行技術文献】
【特許文献】
【０００５】
【特許文献１】特開２００９−２１７６０６号公報
【特許文献２】特開２０１０−７４２１７号公報
【発明の概要】
【発明が解決しようとする課題】
【０００６】
上記特許文献１や特許文献２の提案によれば、原画像から塗り絵用の線画像を作成することができるが、塗り絵に使用可能な色は、ユーザが所有している筆記具の色である所有色に制限されるため、実際の原画像の色に近づけて塗り絵を実行しようと考えたとしても、手持ちの色以外の色は表現することができなかった。また、ユーザは実際の原画像に近い色を所有している色である所有色の中から選択して塗りつぶしていくこととなるが、配色ミスなどを起こす可能性があった。
【０００７】
本発明は、このような従来技術の問題点に鑑みてなされたものであり、ユーザが所有している筆記具の色である所有色に合わせて塗り絵用画像を作成可能な画像印刷装置と、塗り絵用画像生成方法と、塗り絵用画像生成プログラムと、を提供することを目的としている。
【課題を解決するための手段】
【０００８】
前記目的を果たすため、本発明の画像印刷装置の一態様は、ユーザが指定する色である指定色の情報である指定色情報が記憶されるものであって、当該ユーザが所有している筆記具の色である所有色の情報が記憶される所有色情報記憶手段を備えた指定色情報記憶手段と、塗り絵の手本画像の元となる手本元画像が記憶される手本元画像記憶手段と、前記塗り絵の前記手本画像を生成するものであって、前記手本元画像に使用されている色を前記指定色の中で近似する色に変換する色変換手段を備えた手本画像生成手段と、塗り絵用画像を生成するものであって、前記手本画像から輪郭を抽出して線画像を生成する線画像生成手段を備えた塗り絵用画像生成手段と、前記手本画像および前記塗り絵用画像が表示される表示手段および当該表示手段を制御する表示制御手段と、前記塗り絵用画像および前記手本画像を印刷する印刷手段と、を備え、前記指定色情報記憶手段には、前記指定色情報がＬａｂ色空間の色情報として記憶され、前記塗り絵用画像生成手段は、ＲＧＢ色空間から前記Ｌａｂ色空間へ、および、前記Ｌａｂ色空間から当該ＲＧＢ色空間へと表色系を変換する表色系変換手段を有し、前記表色系変換手段が前記手本元画像の前記ＲＧＢ色空間を画素毎に前記Ｌａｂ色空間へと変換し、前記色変換手段が前記指定色の色と前記手本元画像の色との色差を算出し、当該色差が少ない前記指定色内の色に前記手本元画像の色を変換し、前記表色系変換手段が色変換後の画像を前記Ｌａｂ色空間から前記ＲＧＢ色空間へと変換する、ことを特徴とする。
【０００９】
前記目的を果たすため、本発明の塗り絵用画像生成方法の一態様は、ユーザが指定する色である指定色の情報である指定色情報を記憶する処理であって、当該ユーザが所有している筆記具の色である所有色の情報を記憶する所有色情報記憶処理を含む指定色情報記憶処理と、塗り絵の手本画像の元となる手本元画像を読み込む手本元画像読込処理と、前記塗り絵の前記手本画像を生成する処理であって、前記手本元画像に使用されている色を前記所有色の中で近似する色に変換する色変換処理を備えた手本画像生成処理と、塗り絵用画像を生成する処理であって、少なくとも前記手本画像から輪郭を抽出して線画像を生成する線画像生成処理を備えた塗り絵用画像生成処理と、前記手本画像および前記塗り絵用画像を表示手段に表示させる表示制御処理と、前記塗り絵用画像および前記手本画像を印刷する印刷処理と、を実行し、前記指定色情報記憶処理では、前記指定色情報がＬａｂ色空間の色情報として記憶され、前記塗り絵用画像生成処理では、前記手本元画像のＲＧＢ色空間を画素毎に前記Ｌａｂ色空間へと変換する表色系変換処理と、前記表色系変換処理で前記Ｌａｂ色空間に変換された前記手本元画像と前記指定色情報との色差を算出し、当該色差が少ない前記指定色内の色に前記手本元画像の色を変換する前記色変換処理と、前記色変換処理で色変換した後の画像を前記Ｌａｂ色空間から前記ＲＧＢ色空間へと変換する表色系再変換処理と、が実行される、ことを特徴とする。
【００１０】
前記目的を果たすため、本発明のコンピュータ読み取り可能な塗り絵用画像生成プログラムの一態様は、ユーザが指定する色である指定色の情報である指定色情報を記憶する処理であって、当該ユーザが所有している筆記具の色である所有色の情報を記憶する所有色情報記憶処理を含む指定色情報記憶処理と、塗り絵の手本画像の元となる手本元画像を読み込む手本元画像読込処理と、前記塗り絵の前記手本画像を生成する処理であって、前記手本元画像に使用されている色を前記所有色の中で近似する色に変換する色変換処理を備えた手本画像生成処理と、塗り絵用画像を生成する処理であって、少なくとも前記手本画像から輪郭を抽出して線画像を生成する線画像生成処理を備えた塗り絵用画像生成処理と、前記手本画像および前記塗り絵用画像を表示手段に表示させる表示制御処理と、前記塗り絵用画像および前記手本画像を印刷する印刷処理と、をコンピュータに実行させ、前記指定色情報記憶処理では、前記指定色情報がＬａｂ色空間の色情報として記憶され、前記塗り絵用画像生成処理では、前記手本元画像のＲＧＢ色空間を画素毎に前記Ｌａｂ色空間へと変換する表色系変換処理と、前記表色系変換処理で前記Ｌａｂ色空間に変換された前記手本元画像と前記指定色情報との色差を算出し、当該色差が少ない前記指定色内の色に前記手本元画像の色を変換する前記色変換処理と、前記色変換処理で色変換した後の画像を前記Ｌａｂ色空間から前記ＲＧＢ色空間へと変換する表色系再変換処理と、を前記コンピュータに実行させる、ことを特徴とする。
【発明の効果】
【００２３】
本発明によれば、ユーザが所有している筆記具の色である所有色に合わせて塗り絵用画像を作成可能な画像印刷装置と、塗り絵用画像生成方法と、塗り絵用画像生成プログラムと、を提供することができる。
【図面の簡単な説明】
【００２４】
【図１】本発明の実施形態に係る画像印刷装置の斜視図である。
【図２】上記画像印刷装置の断面模式図である。
【図３】上記画像印刷装置の機能ブロック図である。
【図４】塗り絵用画像生成機能についての説明図である。
【図５】塗り絵用画像生成機能についての説明図である。
【図６】絵画調変換パターンに関しての説明図である。
【図７】塗り絵用画像生成機能における制御フローを示すフローチャートである。
【図８】手本画像パターンを生成する処理における制御フローを示すフローチャートである。
【図９】塗り絵用画像を生成する処理における制御フローを示すフローチャートである。
【図１０】塗り絵の手順を表示又は印刷する実施形態に関しての説明図である。
【発明を実施するための形態】
【００２５】
以下、本発明を実施するための形態について述べる。図１は、本発明の実施形態に係る画像印刷装置の斜視図であり、図２は、この画像印刷装置の内部構成を示す断面模式図であり、図３は、画像印刷装置における回路構成を示す機能ブロック図である。なお、図２は、見やすくなるようにハッチングを除いて描いている。
【００２６】
本実施形態に係る画像印刷装置は、ユーザが所有している色鉛筆や水性絵の具、パステル、油絵の具などの筆記具の色である所有色で塗り絵を完成させることができるように、ユーザにあらかじめ色を指定させ、原画像をユーザが指定した色で構成される画像に色変換して塗り絵の手本となる手本画像を生成し、この手本画像から線画像などの塗り絵をするための画像を生成する機能である、塗り絵用画像生成機能を備えている。以下、画像印刷装置の構成について述べる。
【００２７】
画像印刷装置は、メモリーカードなどの着脱可能な可搬型記憶媒体に記憶された画像を葉書（１００×１４８ｍｍ）やＬ判（８９×１２７ｍｍ）、２Ｌ判（１７８×１２７ｍｍ）などの比較的小さな印刷用紙に印刷を実行可能な装置である。また、画像印刷装置は、住所録を作成する機能や、住所録から自動で葉書に宛名書をする機能や、文章を編集する機能、取り込んだ画像と文章とを組み合わせて葉書に印刷する機能などを備え、パーソナルコンピュータを介することなく可搬型記憶媒体に記憶された画像を取り込んで画像処理を行い印刷を実行するといった処理が可能な電子機器である。
【００２８】
この画像印刷装置1は、図１に示すように、箱形の筐体2を備え、筐体2の前方にはキーボード3が配置されている。このキーボード3は、筐体2の前方下端近傍に回動可能に装着されており、使用状態では図１に示したように前方に倒され、使用しない場合には筐体2の前面と対向した状態で収納されている。
【００２９】
筐体2の前面には、印刷が完了した葉書や写真などの印刷用紙10が排出される排紙口5と、可搬型記憶媒体を挿入可能な記憶媒体挿入口6とが形成されている。画像印刷装置1は、この記憶媒体挿入口6を備えることにより、可搬型記憶媒体からデジタルカメラで撮影された写真の画像データなどを取り込み可能であるとともに、画像印刷装置1で編集したデータを保存可能である。
【００３０】
筐体2の上面には、タッチパネル8が配置され、筐体2の正面方向に回動可能とされている。また、筐体2の上部には、筐体2の後方側から筐体2の上方までの間を回動可能な取っ手15が装着されている。この取っ手15は、略コ字状に形成され、画像印刷装置1の運搬時などに把持されて使用される。
【００３１】
そして、画像印刷装置1は、図２に示すように、筐体2の背面に開口する空腔部16を有し、この空腔部16の開口を塞ぐように給紙トレイ18が配置されている。この給紙トレイ18は、筐体2の後方であって下方近傍位置に軸着されており、前後方向に回動可能とされ、印刷用紙10を複数重ねて収容することができるようになっている。
【００３２】
給紙トレイ18の内側であって上方位置には、給紙トレイ18に収容された印刷用紙10を１枚ずつ下方に送り出すピックアップローラ19が配置されている。また、給紙トレイ18の下端近傍には、ピックアップローラ19によって下方に送り出された印刷用紙10を筐体2の排紙口5方向へと搬送する搬送ローラ20a,20bが配置されている。
【００３３】
筐体2の内部であって搬送ローラ20a,20bの前方近傍には、印刷手段とされる印刷ヘッド21が配置されている。また、筐体2の内部であって印刷ヘッド21の前方には、印刷を完了した印刷用紙10を排紙口5から排出する排紙ローラ22a,22bが配置されている。この搬送ローラ20aと排紙ローラ22aとは、図示しないステッピングモータによって回転を制御されて、所定速度で印刷用紙10を搬送している。
【００３４】
そして、給紙トレイ18に収容された印刷用紙10は、ピックアップローラ19によって前方に位置する印刷用紙10から順に下方に送り出され、搬送ローラ20a,20bとの間に挟み込まれた状態で印刷ヘッド21の下方に繰り出され、印刷が完了後、排紙ローラ22a,22bの間に挟み込まれて排紙口5から外部へと排出される。
【００３５】
この画像印刷装置1は、図３に示すように、制御部41としてのＣＰＵと、記憶部としてのＲＯＭ42やＲＡＭ43と、キーボード3やタッチパネル8から構成される入力部45と、タッチパネル8である表示部46と、上述した印刷ヘッド21やピックアップローラ19、搬送ローラ20a,20b、排紙ローラ22a,22b、各ローラを回転させるステッピングモータなどによって構成される印刷部48と、スピーカーなどの音声出力部49と、を備えた回路により構成される。
【００３６】
制御部41は、入力部45から入力信号に応じて、又は、自動でＲＯＭ42にあらかじめ記憶されているシステムプログラム、メモリーカードに記憶された制御プログラムなどを起動させ、ＲＡＭ43をワークメモリとして回路各部の動作を制御する。ＲＯＭ42は、文書編集時に使用する文字フォントや印刷の字体のデータ、編集する印刷用紙の規格データ、その他の制御プログラムなどが記憶されている。ＲＡＭ43は、入力部45で入力された文字などの文書の編集情報やタッチパネル8に表示されるモードデータ、画像処理中の画像情報などを記憶するワークメモリである。
【００３７】
入力部45は、画像処理における操作や画像選択、印刷実行など画像印刷装置1におけるあらゆる入力に使用され、ユーザが操作すると所定の信号を制御部41に送出する。表示部46は、可搬型記憶媒体から読み出した画像や各種メニュー、操作における選択肢、エラーメッセージなどを表示する。印刷部48は、印刷用紙10を搬送しながら用紙に印刷を行う。音声出力部49は、エラー音や操作の音声案内など音声メッセージを出力する。
【００３８】
次に、本実施形態における画像印刷装置1が備える塗り絵用画像生成機能について述べる。写真撮影して得られる写真画像やスキャナで取り込んだスキャン画像などから輪郭を抽出し、塗り絵用の線画像を生成する技術は既に存在している。しかしながら、従来から存在する技術を用いて線画像を生成した場合、ユーザは原画像（写真画像やスキャン画像）を参考にしながら線画像に色を塗ることとなるが、ユーザが所有している（筆記具の）色である所有色の種類には限界があるため、ユーザが所有していない色を塗る必要がある領域には、原画像における色と似た色をユーザが選択して塗る必要があった。そこで、本実施形態における画像印刷装置1の塗り絵用画像生成機能では、ユーザにあらかじめ所有している筆記具の色である所有色などを指定させ、原画像を指定された色（指定色）で構成された画像に変換して塗り絵の手本となる手本画像を生成することにより、ユーザが所有している筆記具だけで塗り絵を完成させることができるようにしている。
【００３９】
より具体的に述べると、図４（ａ）に示すような花の画像の原画像を塗り絵用画像に変換する場合に、ユーザは、図４（ｂ）に示すように、指定色として所有している筆記具の色（所有色）である赤a1、橙a2、黄a3、黄緑a4、緑a5、空色a6、青a7、紫a8を入力設定することができる。制御部41は、原画像をユーザが入力設定した指定色（所有色）で構成された手本画像に色変換する。色変換された画像は、図４（ｃ）に示すような全てが所有色で構成された画像、すなわち、花がa1,a3,a8で構成され、茎がa5で構成され、葉がa4で構成された画像である。そして、制御部41は、色変換した画像である手本画像から線画像を生成し、手本画像と線画像とを印刷部48で印刷する。これにより、ユーザは、図４（ｄ）に示すような線画像と、図４（ｃ）に示したような手本画像と、を得られるため、手本画像にしたがって線画像の所定の領域を塗りつぶすだけで所有している筆記具のみで塗り絵を完成させることができる。
【００４０】
また、図５（ａ）に示すような花の画像の原画像（図４（ａ）と同じ）を塗り絵用画像に変換する場合に、ユーザは図５（ｂ）に示すように指定色として所有色に加えてユーザが所有していないものの完成した塗り絵に反映させたい色である希望色（ここでは桃色b1、ベージュb2）を入力設定することもできる。制御部41は、原画像をユーザが入力設定した指定色（所有色および希望色）で構成された手本画像に色変換する。色変換された画像は、図５（ｃ）に示すような所有色と希望色とで構成された画像、すなわち、花がa8,b1,b2で構成され、茎がa5で構成され、葉がa4で構成された画像である。そして、制御部41は、手本画像から線画像を生成し、さらに、線画像における希望色が付される領域に、対応する希望色を着色して図５（ｄ）に示すような塗り絵用画像を生成し、印刷部48で手本画像と塗り絵用画像とを印刷する。これにより、ユーザは、図５（ｄ）に示した塗り絵用画像と、図５（ｃ）に示したような手本画像と、を得られるため、手本画像にしたがって塗り絵用画像の所定の領域を塗りつぶすだけで所有している筆記具のみで塗り絵を完成させることができる。
【００４１】
このような塗り絵用画像生成機能を実行するため、ＲＯＭ42には、図３に示したように、手本画像生成プログラム42a、絵画調変換プログラム42d、絵画調変換パターンデータ42f、塗り絵用画像生成プログラム42h、表示制御プログラム42o、印刷制御プログラム42q、印刷データ生成プログラム42sが記憶されている。
【００４２】
手本画像生成プログラム42aは、写真画像やスキャン画像などの原画像をそのまま、又は、絵画調変換した後に指定色で構成された画像へと変換し、手本画像を生成するプログラムである。この手本画像生成プログラム42aは、表色系変換プログラム42bおよび色変換プログラム42cを備えてなる。表色系変換プログラム42bは、ＲＧＢ色空間で表示された色をＬａｂ色空間の色に、又は、Ｌａｂ色空間で表示された色をＲＧＢ色空間の色に変換するプログラムである。また、色変換プログラム42cは、色を近似する他の色に変換するプログラムである。
【００４３】
絵画調変換プログラム42dは、写真画像などの原画像を色鉛筆調やパステル調など、絵の表現調を絵画調に変換するプログラムである。絵画調変換パターンデータ42fは、原画像をどのような風合いの絵画調に変換するかについての複数のパターン情報である。具体的な絵画調変換パターンとしては、図６（ａ）に示すような写真の原画像を変換するとき、図６（ｂ）に示すような水彩画調に変換する水彩画調パターン、図６（ｃ）に示すような色鉛筆調に変換する色鉛筆調パターン、図６（ｄ）に示すような油彩調に変換する油彩調パターン、図６（ｅ）に示すようなパステル調に変換するパステル調パターンがある。
【００４４】
塗り絵用画像生成プログラム42hは、手本画像から塗り絵に使用する画像、すなわち、ユーザが筆記具を用いて着色するための画像を生成するためのプログラムであり、線画像生成プログラム42iと希望色着色プログラム42jとを備えてなる。線画像生成プログラム42iは、手本画像の中から輪郭を抽出するプログラムである。希望色着色プログラム42jは、線画像の中で希望色を使用する領域に、対応する希望色を着色するプログラムである。
【００４５】
表示制御プログラム42oは、表示部46を制御するプログラムである。印刷制御プログラム42qは、印刷部48を制御するプログラムである。印刷データ生成プログラム42sは、印刷を実行するときに画像データから印刷データを生成するプログラムである。
【００４６】
ＲＡＭ43には、原画像記憶部43a、指定色情報記憶部43b、絵画調画像記憶部43g、手本画像記憶部43k、塗り絵用画像記憶部43m、印刷条件記憶部43q、印刷データ記憶部43sなどのバッファやワークメモリとしての領域が設けられている。
【００４７】
原画像記憶部43aは、記憶媒体挿入口6に挿入された可搬型記憶媒体から読み出された画像など、画像変換が行われる前の画像が記憶される領域である。なお、後述するが、原画像を直接色変換して手本画像を生成することがあり、この場合には原画像が手本元画像となり、原画像記憶部43aが手本元画像記憶手段として機能する。
【００４８】
指定色情報記憶部43bは、ユーザが指定した色の情報である指定色情報が記憶される領域である。この指定色情報記憶部43bは、所有色情報記憶部43cとしての領域と希望色情報記憶部43eとしての領域からなる。所有色情報記憶部43cは、ユーザが入力設定した、あるいは、初期設定で設定されたユーザが所有している筆記具の色である所有色の情報が記憶される領域である。なお、所有色情報が初期設定で設定された状態とは、画像印刷装置1を販売するときに複数色の筆記具もセットで販売する場合などに、セットの筆記具の色をあらかじめ初期設定として登録された場合などである。希望色情報記憶部43eは、ユーザが入力した所有していないが塗り絵用画像に反映したい希望色の情報が記憶される領域である。
【００４９】
絵画調画像記憶部43gは、原画像を絵画調変換した画像が記憶される領域であり、後述するが、原画像記憶部43aとともに手本元画像記憶手段として機能する。手本画像記憶部43kは、原画像や絵画調画像を色変換した後の画像である塗り絵の手本となる手本画像が記憶される領域である。
【００５０】
塗り絵用画像記憶部43mは、線画像や線画像の一部に着色が施された一部着色画像など、ユーザが塗り絵を行う塗り絵用の画像が記憶される領域である。この塗り絵用画像記憶部43mは、線画像記憶部43nと着色画像記憶部43oとを備えてなる。線画像記憶部43nは、手本画像から輪郭を抽出して生成される線画像が記憶される領域である。着色画像記憶部43oは、線画像の一部に希望色が着色された一部着色画像が記憶される領域である。
【００５１】
印刷条件記憶部43qは、ユーザが設定した印刷用紙のサイズや色の濃さ、高品質モードで印刷するといった印刷の条件が記憶される領域である。印刷データ記憶部43sは、画像を元に生成された印刷データが記憶される領域である。
【００５２】
次に、塗り絵画像生成機能における制御フローについて図７乃至図９のフローチャートを用いて述べる。ユーザが塗り絵モードを選択すると（Ｓ１０１）、制御部41は、ＲＯＭ42に記憶された表示制御プログラム42oを読み出し、表示部46に指定色として所有色の入力設定を行うか否かを問う案内を表示させ、所有色の入力設定を行うか否かを判定する所有色入力設定判定処理（ステップＳ１０５）を実行する。
【００５３】
所有色入力設定判定処理（ステップＳ１０５）においてユーザが所有色の入力設定を行う旨を選択した場合、制御部41は、ＲＯＭ42に記憶された表示制御プログラム42oを読み出して表示部46に所有色の入力設定を行う案内を表示させ、ユーザは所有色の入力設定を行う（Ｓ１１１）。この所有色の入力設定を行うとき、表示部46には複数色からなるパレットが表示され、ユーザがパレットの中から所有している色である所有色を選択することにより所有色の入力設定を行うことができる。ユーザによる所有色の入力設定が終了すると、制御部41は、設定された所有色情報をＲＡＭ43の所有色情報記憶部43cに記憶させる。なお、所有色入力設定判定処理（ステップＳ１０５）において、既に所有色情報記憶部43cに登録記憶されている色である所有色を使用すれば足りるためにユーザが所有色の入力設定を行わない旨を選択した場合、制御部41は、後述の希望色使用判定処理（ステップＳ１１５）を実行する。
【００５４】
所有色の入力設定（Ｓ１１１）が終了すると、制御部41は、ＲＯＭ42に記憶された表示制御プログラム42oを読み出し、表示部46に指定色として希望色も使用するか否かを問う案内を表示させ、希望色を使用するか否かを判定する希望色使用判定処理（ステップＳ１１５）を実行する。
【００５５】
この希望色使用判定処理（ステップＳ１１５）においてユーザが希望色の入力設定を行う旨を選択した場合、制御部41は、ＲＯＭ42に記憶された表示制御プログラム42oを読み出して表示部46に希望色の入力設定を行う画面を表示させ、ユーザは希望色の入力設定を行う（Ｓ１２１）。この希望色の入力設定を行うときも所有色の入力設定と同様に、表示部46には複数色を備えたパレットが表示され、ユーザがパレットの中から所有していないものの使用を欲する色を選択することにより希望色の入力設定を行うことができる。ユーザによる希望色の入力設定が終了すると、制御部41は、設定された希望色情報をＲＡＭ43の希望色情報記憶部43eに記憶させる。なお、希望色使用判定処理（ステップＳ１１５）において希望色を使用しない旨を選択した場合、制御部41は、後述の原画像読み出し処理（ステップＳ１２５）を実行する。
【００５６】
希望色の入力設定（Ｓ１２１）が終了すると、ユーザは塗り絵用画像に変換する原画像を選択し、制御部41は、可搬型記憶媒体から原画像を読み出す原画像読込処理（ステップＳ１２５）を実行し、読み出した原画像をＲＡＭ43の原画像記憶部43aに記憶させる。
【００５７】
原画像読込処理（ステップＳ１２５）の後、制御部41は、ＲＯＭ42に記憶された表示制御プログラム42oを読み出し、絵画調に変換するか否かをユーザに問う案内を表示部46に表示させ、絵画調変換を行うか否かを判定する絵画調変換有無判定処理（ステップＳ１３１）を実行する。絵画調変換有無判定処理（ステップＳ１３１）において、ユーザが絵画調変換を行う旨を選択すると、制御部41は、ＲＯＭ42に記憶された絵画調変換パターンデータと表示制御プログラム42oを読み出し、表示部46に絵画調変換パターンを表示してユーザに選択させ、ユーザは所望の絵画調変換パターンを選択する（Ｓ１３５）。ユーザが絵画調変換パターンを選択すると、制御部41は、ＲＯＭ42に記憶された絵画調変換プログラム42dを読み出し、原画像を絵画調に変換する絵画調変換処理（ステップＳ１４１）を実行し、絵画調画像をＲＡＭ43の絵画調画像記憶部43gに記憶させる。
【００５８】
絵画調変換処理（ステップＳ１４１）の後、又は、絵画調変換有無判定処理（ステップＳ１３１）においてユーザが絵画調変換を行わない旨を選択した場合、制御部41は、ＲＯＭ42に記憶された色変換プログラム42cを読み出し、原画像記憶部43aに記憶された原画像、又は、絵画調画像記憶部43gに記憶された絵画調画像、すなわち、手本画像の元になる手本元画像における色を指定色内の色に変換する色変換処理（ステップＳ１４５）を実行する。なお、この色変換処理（ステップＳ１４５）で生成された画像は塗り絵における手本画像となるため、色変換処理（ステップＳ１４５）は手本画像生成処理でもある。また、絵画調変換を使用しない場合には原画像が手本元画像となり、絵画調変換を実行する場合には絵画調画像が手本元画像となるため、原画像記憶部43aおよび絵画調画像記憶部43gは、手本元画像記憶手段として機能する。この色変換処理（ステップＳ１４５）に関しては、図８のフローチャートを用いて説明する。
【００５９】
色変換処理（ステップＳ１４５）において制御部41は、原画像記憶部43aに記憶された原画像、又は、絵画調画像記憶部43gに記憶された絵画調画像である手本元画像を読み込む手本元画像読込処理（ステップＳ２０１）を実行する。そして、制御部41は、手本元画像における画素ｐをクリア(ステップＳ２０５)した後（色変換処理におけるバッファメモリの画素ｐを記憶する領域を初期化）、ｐに１を代入（ステップＳ２０７）する。次に、制御部41は、ＲＯＭ42に記憶された表色系変換プログラム42bを読み出し、手本元画像のｐ番目の画素の色をＲＧＢ色空間からＬａｂ色空間へ変換する表色系変換処理（ステップＳ２１５）を実行し、ｐ番目の画素のＬａｂ色と指定色情報とを比較して色差を算出する色差算出処理（ステップＳ２２１）を実行する。
【００６０】
色差算出処理（ステップＳ２２１）の後、制御部41は、ＲＯＭ42に記憶された色変換プログラム42cを読み出し、ｐ番目の画素の色を最小の色差となる色に変換する色変換処理（ステップＳ２２５）を実行し、ＲＯＭ42に記憶された表色系変換プログラム42bを読み出し、Ｌａｂ色空間からＲＧＢ色空間へ変換する表色系変換処理（ステップＳ２３１）を実行する。そして、制御部41は、ｐに１を加える処理（ステップＳ２３５）をした後、ｐが全画素数よりも大きいか否か、すなわち、全画素の色変換が完了したか否かを判定する変換完了判定処理（ステップＳ２４１）を実行する。
【００６１】
変換完了判定処理（ステップＳ２４１）においてｐが全画素数以下の場合、制御部41は、ステップＳ２１５からステップＳ２３５を繰り返し実行し、全画素の色変換が終了するまで各処理を繰り返す。変換完了判定処理（ステップＳ２４１）においてｐが全画素数よりも大きい場合、すなわち、全画素の色変換が完了した場合、制御部41は、ＲＡＭ43の手本画像記憶部43kに色変換後の画像を記憶する手本画像記憶処理（ステップＳ２４５）を実行し、色変換処理（ステップＳ１４５）を終了する。
【００６２】
色変換処理（ステップＳ１４５）の後、図７に示したように、制御部41は、ＲＯＭ42に記憶された塗り絵用画像生成プログラム42hを読み出し、手本画像から塗り絵用画像を生成する塗り絵用画像生成処理（ステップＳ１５１）を実行する。この塗り絵用画像生成処理（ステップＳ１５１）に関しては、図９のフローチャートを用いて説明する。
【００６３】
制御部41は、手本画像記憶部43kに記憶された手本画像を読み込む手本画像読込処理（ステップＳ３０１）を実行する。そして、制御部41は、ＲＯＭ42に記憶された線画像生成プログラム42iを読み出し、手本画像から輪郭のみを抽出した線画像を生成する線画像生成処理（ステップＳ３０５）を実行し、ＲＡＭ43の線画像記憶部43nに記憶させる。次に、制御部41は、手本画像に希望色が使用されているか否かを判定する希望色使用判定処理（ステップＳ３１１）を実行し、希望色を使用している場合には線画像における希望色を使用している領域に当該希望色を着色する希望色着色処理（ステップＳ３１５）を実行して塗り絵用画像を生成し、希望色を着色した塗り絵用画像をＲＡＭ43の着色画像記憶部43oに記憶させて塗り絵用画像生成処理（ステップＳ１５１）を終了する。なお、希望色使用判定処理（ステップＳ３１１）において希望色が使用されていない場合、線画像が塗り絵用画像となるためそのまま塗り絵用画像生成処理（ステップＳ１５１）を終了する。
【００６４】
塗り絵用画像生成処理（ステップＳ１５１）の後、制御部41は、図７に示したように、ＲＯＭ42に記憶された表示制御プログラム42oを読み出し、表示部46に印刷を実行するか否かを問う画面を表示させ、印刷を実行するか否かを判定する印刷判定処理（ステップＳ１５５）を実行する。印刷判定処理（ステップＳ１５５）においてユーザが印刷実行の操作をすると制御部41は、ＲＯＭ42に記憶された表示制御プログラム42oを読み出して表示部46に印刷条件をユーザに設定させる画面を表示させ、印刷用紙10のサイズなどの印刷条件を設定させる印刷条件設定処理（ステップＳ１６１）を実行し、設定された印刷条件をＲＡＭ43の印刷条件記憶部43qに記憶させる。なお、印刷判定処理（ステップＳ１５５）において、ユーザが印刷を実行しない旨の操作を行った場合には、塗り絵画像生成機能における処理を終了する。
【００６５】
そして、制御部41は、ＲＯＭ42に記憶された印刷データ生成プログラム42sを読み出し、ＲＡＭ43の手本画像記憶部43kに記憶された手本画像、および、塗り絵用画像記憶部43mに記憶された塗り絵用画像から印刷データを生成し、印刷データ記憶部43sに記憶させる。その後、制御部41は、印刷制御プログラム42qを読み出し、印刷条件記憶部43qに記憶された印刷条件にしたがって印刷部48で印刷を行う印刷処理（ステップＳ１６５）を実行し、塗り絵画像生成機能における処理を終了する。すなわち、印刷処理（ステップＳ１６５）では、塗り絵用画像および手本画像が印刷されることとなる。
【００６６】
このように本実施形態の画像印刷装置1は、ユーザに使用する色を指定させ、指定された色を用いて手本画像を生成するため、写真などの原画像をそのまま手本画像とした場合よりも容易に塗り絵を完成させることができる。また、指定色としてユーザが所有している筆記具の色である所有色を入力設定させることにより、手本画像をユーザが所有している色のみで生成することができるため、ユーザが所有している筆記具で塗り絵を完成させることができる。よって、ユーザが塗り絵を完成させるときに、ユーザが所有していない色が手本画像にあるために配色ミスを起こすといったことを防止できる。
【００６７】
さらに、指定色としてユーザが所有していないものの使用を欲する色である希望色を入力設定させることにより、所有色だけを用いて色変換を行った場合よりも多くの色を用いて手本画像を生成できることとなる。また、希望色が使用される領域を着色した状態の塗り絵用画像を生成できるため、所有していない色が含まれる塗り絵も容易に完成させることができる。
【００６８】
また、画像印刷装置1が絵画調変換機能を有しているため、ユーザが所有している筆記具の種類、すなわち、色鉛筆や水性絵の具、油性絵の具、パステルなどに合わせて手本画像および塗り絵用画像を生成できる。
【００６９】
さらに、ＲＧＢからＬａｂに表色系を変換し、Ｌａｂ色空間で所有色および希望色との色差を算出して色変換を行った後にＲＧＢへ再度表色系を変換することにより色変換処理を行っているため、ＲＧＢで直接色変換を行う場合よりもユーザにとって原画像における色に近い色に色変換を行うことができる。よって、原画像と近い塗り絵を完成させることができる。
【００７０】
なお、上述した実施形態における各種処理は、コンピュータに実現させることのできる塗り絵用画像生成プログラムとして、例えば磁気ディスク、光ディスク、半導体メモリなどの記憶媒体に書き込んだ状態で各種装置に適用する、あるいは、通信媒体により伝送して各種装置に適用することも可能である。このように本実施形態で述べた各処理を実行させるための塗り絵用画像生成プログラムを他の電子機器などで実行させることにより、上述した画像印刷装置1を用いた場合と同様の作用効果が得られる。なお、コンピュータは、画像印刷装置1に内蔵されたコンピュータに限定されるわけではなく、上記のような塗り絵用画像生成プログラムを読み取り可能であって、読み取ったプログラムにしたがって制御動作を行うＣＰＵなどの演算装置を備えているあらゆる電子機器に組み込まれたコンピュータを含む。
【００７１】
さらに、本発明は、以上の実施形態に限定されるものではなく、発明の要旨を逸脱しない範囲で自由に変更、改良が可能である。例えば、上述した実施形態ではユーザが所望の絵画調変換パターンを選択する構成としているが、ユーザが所有している筆記具の種類をあらかじめ入力設定させ、絵画調変換を行う場合には入力設定された筆記具調に自動で絵画調変換を行う構成としてもよい。また、色変換処理（ステップＳ１４５）では、手本元画像における色と指定色とを比較して、近似する色に変換して手本画像を生成する構成としているが、必ずしも近似している色に変換させる必要はなく、いくつかの色変換パターンを作成してユーザに所望のパターンを選択させる構成としてもよい。
【００７２】
また、上述した実施形態では、手本画像をそのまま表示および印刷する構成としているが、塗り絵の順序を表示した画像を順次表示および／又は印刷する構成としてもよい。すなわち、図４（ｃ）に示したような手本画像となるように塗り絵をする場合、図１０（ａ）に示すように、まず、塗り絵用画像の中で赤a1を使用する領域を塗りつぶした画像を表示又は印刷し、次に、図１０（ｂ）に示すように黄a3を塗りつぶした画像を表示又は印刷し、以下、図１０（ｃ）に示すように黄緑a4、図１０（ｄ）に示すように緑a5、図１０（ｅ）に示すように紫a8と順次塗りつぶした画像を表示又は印刷する構成としてもよい。
【００７３】
このように、本発明は、ユーザが指定した色で手本画像を生成し、かつ、塗り絵用画像を生成することを特徴としており、その他の構成、例えば絵画調変換などは必須の構成要素ではなく、様々な設計変更が可能である。
【符号の説明】
【００７４】
1   画像印刷装置                        2   筐体
3   キーボード                          5   排紙口
6   記憶媒体挿入口                      8   タッチパネル
10  印刷用紙                            15  取っ手
16  空腔部                              18  給紙トレイ
19  ピックアップローラ
20a,20b 搬送ローラ
21  印刷ヘッド
22a,22b 排紙ローラ
41  制御部                              42  ＲＯＭ
42a 手本画像生成プログラム              42b 表色系変換プログラム
42c 色変換プログラム                    42d 絵画調変換プログラム
42f 絵画調変換パターンデータ            42h 塗り絵用画像生成プログラム
42i 線画像生成プログラム                42j 希望色着色プログラム
42o 表示制御プログラム                  42q 印刷制御プログラム
42s 印刷データ生成プログラム
43  ＲＡＭ
43a 原画像記憶部                        43b 指定色情報記憶部
43c 所有色情報記憶部                    43e 希望色情報記憶部
43g 絵画調画像記憶部                    43k 手本画像記憶部
43m 塗り絵用画像記憶部                  43n 線画像記憶部
43o 着色画像記憶部                      43q 印刷条件記憶部
43s 印刷データ記憶部
45  入力部                              46  表示部
48  印刷部                              49  音声出力部
【図１】
0005716953.tif 000002
【図２】
0005716953.tif 000003
【図３】
0005716953.tif 000004
【図４】
0005716953.tif 000005
【図５】
0005716953.tif 000006
【図６】
0005716953.tif 000007
【図７】
0005716953.tif 000008
【図８】
0005716953.tif 000009
【図９】
0005716953.tif 000010
【図１０】
0005716953.tif 000011